(57)【要約】  本発明の実施例は、ＳＣＴＰ接続の再確立方法を開示し、第１ネットワーク要素と第２ネットワーク要素とがＳＣＴＰ接続を確立した後、第１ネットワーク要素のトランスポート層アドレスに変化が生じた場合、第１ネットワーク要素は、変化後のトランスポート層アドレスを第２ネットワーク要素に送信する。本発明の実施例には、さらにＳＣＴＰ接続の再確立装置並びに記憶媒体が開示されている。
2018508161.tif 000002
【特許請求の範囲】
【請求項１】
第１ネットワーク要素と第２ネットワーク要素とがＳＣＴＰ接続を確立した後、第１ネットワーク要素のトランスポート層アドレスに変化が生じた場合、第１ネットワーク要素は、変化後のトランスポート層アドレスを第２ネットワーク要素に送信すること、
を含むストリーム制御伝送プロトコルＳＣＴＰ接続の再確立方法。
【請求項２】
前記第１ネットワーク要素及び第２ネットワーク要素は、進化型基地局ｅＮＢであり、前記トランスポート層アドレスは、インターネットプロトコルＩＰアドレスである
請求項１に記載の方法。
【請求項３】
前記第１ネットワーク要素が、変化後のトランスポート層アドレスを第２ネットワーク要素に送信することは、
第１ネットワーク要素が、第１ネットワーク要素の、変化後のトランスポート層アドレスと第２ネットワーク要素の識別情報とを含む第１設定直接転送メッセージを、第３ネットワーク要素を介して第２ネットワーク要素に転送することを含む
請求項２に記載の方法。
【請求項４】
前記第３ネットワーク要素は、モビリティ管理エンティティＭＭＥである
請求項３に記載の方法。
【請求項５】
前記第１ネットワーク要素が、変化後のトランスポート層アドレスを第２ネットワーク要素に送信した後、
第１ネットワーク要素が、第２ネットワーク要素から送信された第２ネットワーク要素自体のトランスポート層アドレスを受信し、第１ネットワーク要素が、受信した第２ネットワーク要素自体のトランスポート層アドレスに基づいてローカルのＳＣＴＰ設定を更新し、更新後のＳＣＴＰ設定に基づいて、第２ネットワーク要素との間でのＳＣＴＰ接続を再確立すること、をさらに含んでもよい
請求項１乃至４のうち何れか一項に記載の方法。
【請求項６】
前記第１ネットワーク要素が、第２ネットワーク要素から送信された第２ネットワーク要素自体のトランスポート層アドレスを受信することは、
第１ネットワーク要素が、第２ネットワーク要素から第３ネットワーク要素を介して転送された、第２ネットワーク要素自体のトランスポート層アドレスを含む第２設定直接転送メッセージを受信することを含む
請求項５に記載の方法。
【請求項７】
第２ネットワーク要素と第１ネットワーク要素との間で確立したＳＣＴＰ接続が切断された後、第２ネットワーク要素は、第１ネットワーク要素から送信された第１ネットワーク要素自体のトランスポート層アドレスを受信することと、
第２ネットワーク要素は、受信したトランスポート層アドレスに基づいてローカルのＳＣＴＰ設定を更新することと、
を含むストリーム制御伝送プロトコルＳＣＴＰ接続の再確立方法。
【請求項８】
前記第１ネットワーク要素及び第２ネットワーク要素は、進化型基地局ｅＮＢであり、前記トランスポート層アドレスは、インターネットプロトコルＩＰアドレスである
請求項７に記載の方法。
【請求項９】
前記第２ネットワーク要素が、第１ネットワーク要素から送信された第１ネットワーク要素自体のトランスポート層アドレスを受信することは、
第２ネットワーク要素が、第１ネットワーク要素から第３ネットワーク要素を介して転送された、第１ネットワーク要素自体のトランスポート層アドレスを含む設定直接転送メッセージを受信することを含む
請求項８に記載の方法。
【請求項１０】
前記第３ネットワーク要素は、モビリティ管理エンティティＭＭＥである
請求項９に記載の方法。
【請求項１１】
第２ネットワーク要素が第１ネットワーク要素とＳＣＴＰ接続を確立した後、第２ネットワーク要素は、前記ＳＣＴＰ接続が切断されたと検出すると、第１ネットワーク要素のトランスポート層アドレスを取得することと、
前記第２ネットワーク要素は、取得したトランスポート層アドレスに基づいてローカルのＳＣＴＰ設定を更新することと、
を含むストリーム制御伝送プロトコルＳＣＴＰの再確立方法。
【請求項１２】
前記第２ネットワーク要素及び第１ネットワーク要素は、進化型基地局ｅＮＢであり、前記トランスポート層アドレスは、インターネットプロトコルＩＰアドレスである
請求項１１に記載の方法。
【請求項１３】
前記第２ネットワーク要素が、第１ネットワーク要素のトランスポート層アドレスを取得することは、
第２ネットワーク要素が、第１ネットワーク要素の識別情報を含むトランスポート層アドレス取得要求を第３ネットワーク要素へ送信し、
第２ネットワーク要素が、第３ネットワーク要素から返信された、第１ネットワーク要素のトランスポート層アドレスを含むトランスポート層アドレス取得応答を受信することである
請求項１２に記載の方法。
【請求項１４】
前記第３ネットワーク要素は、モビリティ管理エンティティＭＭＥである
請求項１３に記載の方法。
【請求項１５】
第１ネットワーク要素に位置するストリーム制御伝送プロトコルＳＣＴＰ接続の再確立装置であって、
第１ネットワーク要素と第２ネットワーク要素との間でのＳＣＴＰ接続を確立する接続確立モジュールと、
第１ネットワーク要素のトランスポート層アドレスに変化が生じた場合、変化後のトランスポート層アドレスを第２ネットワーク要素に送信するトランスポート層アドレス送信モジュールと、を備える装置。
【請求項１６】
第２ネットワーク要素に位置するストリーム制御伝送プロトコルＳＣＴＰ接続の再確立装置であって、
第２ネットワーク要素と第１ネットワーク要素との間でのＳＣＴＰ接続が切断された後、第１ネットワーク要素から送信された第１ネットワーク要素自体のトランスポート層アドレスを受信する第２トランスポート層アドレス受信モジュールと、
受信したトランスポート層アドレスに基づいてローカルのＳＣＴＰ設定を更新する第２設定更新モジュールと、を備える装置。
【請求項１７】
第２ネットワーク要素に位置するストリーム制御伝送プロトコルＳＣＴＰの再確立装置であって、
第２ネットワーク要素と第１ネットワーク要素とがＳＣＴＰ接続を確立した後、前記ＳＣＴＰ接続の接続状態を検出し、前記ＳＣＴＰ接続が切断されたと検出した場合、トランスポート層アドレス取得モジュールをトリガーする検出モジュールと、
検出モジュールにトリガーされると、第１ネットワーク要素のトランスポート層アドレスを取得する前記トランスポート層アドレス取得モジュールと、
取得したトランスポート層アドレスに基づいてローカルのＳＣＴＰ設定を更新する第３設定更新モジュールと、を備える装置。
【請求項１８】
請求項１乃至６のうち何れか一項に記載のストリーム制御伝送プロトコルＳＣＴＰ接続の再確立方法を実行するための１組の命令を含む、第１コンピュータ読み取り可能な記憶媒体。
【請求項１９】
請求項７乃至１０のうち何れか一項に記載のストリーム制御伝送プロトコルＳＣＴＰ接続の再確立方法を実行するための１組の命令を含む、第２コンピュータ読み取り可能な記憶媒体。
【請求項２０】
請求項１１乃至１４のうち何れか一項に記載のストリーム制御伝送プロトコルＳＣＴＰ接続の再確立方法を実行するための１組の命令を含む、第３コンピュータ読み取り可能な記憶媒体。
【発明の詳細な説明】
【技術分野】
【０００１】
本発明は、長期的進化（ＬＴＥ、Long Term Evolution）通信分野に関し、具体的には、ストリーム制御伝送プロトコル（ＳＣＴＰ、Stream Control Transmission Protocol）接続の再確立方法及び装置、記憶媒体に関するものである。
【背景技術】
【０００２】
ＳＣＴＰは、インターネット・エンジニアリング・タスクフォース（ＩＥＴＦ、Internet Engineering Task Force）が２０００年にて定義したトランスポート層プロトコルであり、ＳＣＴＰ接続は、非信頼性伝送サービスのプロトコルに基づく信頼的なデータグラム伝送プロトコルを提供する。
【０００３】
異なるネットワーク要素同士は、ＳＣＴＰ接続を確立することで安定した順序付きデータ伝達サービスを実現することができ、１つのネットワーク要素は、もう１つのネットワーク要素との間で１つのＳＣＴＰ接続を確立することができれば、複数のネットワークとの間で複数のＳＣＴＰ接続を同時に確立することもできる。
【０００４】
図１は、ＳＣＴＰの１つの例示的な応用場面を示す図であり、図１に示されるように、ネットワーク要素Ａは、ネットワーク要素ＢのみとＳＣＴＰ接続０が確立されている。図２は、ＳＣＴＰの他の例示的な応用場面を示す図であり、図２に示されるように、ネットワーク要素Ａは、ネットワーク要素Ｂ、Ｃ及びＤそれぞれとＳＣＴＰ接続（ＳＣＴＰ接続１、ＳＣＴＰ接続２及びＳＣＴＰ接続３を含む）が確立されている。
【０００５】
しかしながら、応用場面１においても応用場面２においても、ネットワーク要素Ａのトランスポート層アドレスに変化が生じた場合、ネットワーク要素Ａに確立されたすべてのＳＣＴＰ接続は切断されるようになるが、しかし、ＳＣＴＰプロトコルにおいて、ネットワーク要素Ａには、このような変化を相手側のネットワーク要素に通知する手段が備えられず、このように、ネットワーク要素Ａと相手側のネットワーク要素との間でのＳＣＴＰ接続は、すぐに復元されることができない。
【発明の概要】
【発明が解決しようとする課題】
【０００６】
既存の課題を解決するために、本発明の実施例は、ＳＣＴＰ接続の再確立方法及び装置、記憶媒体を提供することを意図している。
【課題を解決するための手段】
【０００７】
本発明の実施例において、
第１ネットワーク要素と第２ネットワーク要素とがＳＣＴＰ接続を確立した後、第１ネットワーク要素のトランスポート層アドレスに変化が生じた場合、第１ネットワーク要素は、変化後のトランスポート層アドレスを第２ネットワーク要素に送信すること、を含むＳＣＴＰ接続の再確立方法が提供される。
【０００８】
上記方案において、前記第１ネットワーク要素及び第２ネットワーク要素は、進化型基地局ｅＮＢであり、前記トランスポート層アドレスは、インターネットプロトコルＩＰアドレスである。
【０００９】
上記方案において、前記第１ネットワーク要素が、変化後のトランスポート層アドレスを第２ネットワーク要素に送信することは、
第１ネットワーク要素が、第１ネットワーク要素の、変化後のトランスポート層アドレスと第２ネットワーク要素の識別情報とを含む第１設定直接転送メッセージを、第３ネットワーク要素を介して第２ネットワーク要素に転送することを含む。
【００１０】
上記方案において、前記第３ネットワーク要素は、モビリティ管理エンティティＭＭＥである。
【００１１】
上記方案において、前記第１ネットワーク要素が、変化後のトランスポート層アドレスを第２ネットワーク要素に送信した後、前記方法は、
第１ネットワーク要素が、第２ネットワーク要素から送信された第２ネットワーク要素自体のトランスポート層アドレスを受信し、第１ネットワーク要素が、受信した第２ネットワーク要素自体のトランスポート層アドレスに基づいてローカルのＳＣＴＰ設定を更新し、更新後のＳＣＴＰ設定に基づいて、第２ネットワーク要素との間でのＳＣＴＰ接続を再確立すること、をさらに含んでもよい。
【００１２】
上記方案において、前記第１ネットワーク要素が、第２ネットワーク要素から送信された第２ネットワーク要素自体のトランスポート層アドレスを受信することは、
第１ネットワーク要素が、第２ネットワーク要素から第３ネットワーク要素を介して転送された、第２ネットワーク要素自体のトランスポート層アドレスを含む第２設定直接転送メッセージを受信することを含む。
【００１３】
本発明の実施例において、
第２ネットワーク要素と第１ネットワーク要素との間で確立したＳＣＴＰ接続が切断された後、第２ネットワーク要素は、第１ネットワーク要素から送信された第１ネットワーク要素自体のトランスポート層アドレスを受信することと、
第２ネットワーク要素は、受信したトランスポート層アドレスに基づいてローカルのＳＣＴＰ設定を更新することと、を含むストリーム制御伝送プロトコルＳＣＴＰ接続の再確立方法が提供される。
【００１４】
上記方案において、前記第１ネットワーク要素及び第２ネットワーク要素は、進化型基地局ｅＮＢであり、前記トランスポート層アドレスは、インターネットプロトコルＩＰアドレスである。
【００１５】
上記方案において、前記第２ネットワーク要素が、第１ネットワーク要素から送信された第１ネットワーク要素自体のトランスポート層アドレスを受信することは、
第２ネットワーク要素が、第１ネットワーク要素から第３ネットワーク要素を介して転送された、第１ネットワーク要素自体のトランスポート層アドレスを含む設定直接転送メッセージを受信することを含む。
【００１６】
上記方案において、前記第３ネットワーク要素は、モビリティ管理エンティティＭＭＥである。
【００１７】
本発明の実施例において、
第２ネットワーク要素が第１ネットワーク要素とＳＣＴＰ接続を確立した後、第２ネットワーク要素は、前記ＳＣＴＰ接続が切断されたと検出すると、第１ネットワーク要素のトランスポート層アドレスを取得することと、
前記第２ネットワーク要素は、取得したトランスポート層アドレスに基づいてローカルのＳＣＴＰ設定を更新することと、を含むストリーム制御伝送プロトコルＳＣＴＰの再確立方法が提供される。
【００１８】
上記方案において、前記第２ネットワーク要素及び第１ネットワーク要素は、進化型基地局ｅＮＢであり、前記トランスポート層アドレスは、インターネットプロトコルＩＰアドレスである。
【００１９】
上記方案において、前記第２ネットワーク要素が、第１ネットワーク要素のトランスポート層アドレスを取得することは、
第２ネットワーク要素が、第１ネットワーク要素の識別情報を含むトランスポート層アドレス取得要求を第３ネットワーク要素へ送信し、
第２ネットワーク要素が、第３ネットワーク要素から返信された、第１ネットワーク要素のトランスポート層アドレスを含むトランスポート層アドレス取得応答を受信することである。
【００２０】
上記方案において、前記第３ネットワーク要素は、モビリティ管理エンティティＭＭＥである。
【００２１】
本発明の実施例において、第１ネットワーク要素に位置するストリーム制御伝送プロトコルＳＣＴＰ接続の再確立装置であって、
第１ネットワーク要素と第２ネットワーク要素との間でのＳＣＴＰ接続を確立する接続確立モジュールと、
第１ネットワーク要素のトランスポート層アドレスに変化が生じた場合、変化後のトランスポート層アドレスを第２ネットワーク要素に送信するトランスポート層アドレス送信モジュールと、を備える装置が提供される。
【００２２】
本発明の実施例において、第２ネットワーク要素に位置するストリーム制御伝送プロトコルＳＣＴＰ接続の再確立装置であって、
第２ネットワーク要素と第１ネットワーク要素との間でのＳＣＴＰ接続が切断された後、第１ネットワーク要素から送信された第１ネットワーク要素自体のトランスポート層アドレスを受信する第２トランスポート層アドレス受信モジュールと、
受信したトランスポート層アドレスに基づいてローカルのＳＣＴＰ設定を更新する第２設定更新モジュールと、を備える装置が提供される。
【００２３】
本発明の実施例において、第２ネットワーク要素に位置するストリーム制御伝送プロトコルＳＣＴＰの再確立装置であって、
第２ネットワーク要素と第１ネットワーク要素とがＳＣＴＰ接続を確立した後、前記ＳＣＴＰ接続の接続状態を検出し、前記ＳＣＴＰ接続が切断されたと検出した場合、トランスポート層アドレス取得モジュールをトリガーする検出モジュールと、
検出モジュールにトリガーされると、第１ネットワーク要素のトランスポート層アドレスを取得するトランスポート層アドレス取得モジュールと、
取得したトランスポート層アドレスに基づいてローカルのＳＣＴＰ設定を更新する第３設定更新モジュールと、を備える装置が提供される。
【００２４】
本発明の実施例に提供されるＳＣＴＰ接続の再確立方法及び装置、記憶媒体によれば、第１ネットワーク要素と第２ネットワーク要素とがＳＣＴＰ接続を確立した後、第１ネットワーク要素のトランスポート層アドレスに変化が生じた場合、第１ネットワーク要素は、変化後のトランスポート層アドレスを第２ネットワーク要素に送信する。このように、第１ネットワーク要素と第２ネットワーク要素との間でのＳＣＴＰ接続は、第１ネットワーク要素のトランスポート層アドレスが変化することに起因して切断される場合、変化後のトランスポート層アドレスを第２ネットワーク要素に送信することにより、第１ネットワーク要素と第２ネットワーク要素との間でのＳＣＴＰ接続を速やかに再確立することができる。
【図面の簡単な説明】
【００２５】
【図１】ＳＣＴＰの１つの例示的な応用場面を示す図である。
【図２】ＳＣＴＰの他の例示的な応用場面を示す図である。
【図３】本発明の実施例に提供されるＳＣＴＰ接続の再確立方法の第１のフローを示す図である。
【図４】本発明の実施例に提供されるＳＣＴＰ接続の再確立方法の第３のフローを示す図である。
【図５】本発明の実施例に提供されるＳＣＴＰ接続の再確立方法の第３のフローを示す図である。
【図６】本発明の実施例に提供されるＳＣＴＰ接続の再確立装置の第１の基本構造を示す図である。
【図７】本発明の実施例に提供されるＳＣＴＰ接続の再確立装置の第２の基本構造を示す図である。
【図８】本発明の実施例に提供されるＳＣＴＰ接続の再確立装置の第３の基本構造を示す図である。
【図９】本発明の実施例に提供されるＳＣＴＰ接続の再確立方法の第１の例示的なフローを示す図である。
【図１０】本発明の実施例に提供されるＳＣＴＰ接続の再確立方法の第２の例示的なフローを示す図である。
【発明を実施するための形態】
【００２６】
本発明の実施例において、第１ネットワーク要素と第２ネットワーク要素とがＳＣＴＰ接続を確立した後、第１ネットワーク要素のトランスポート層アドレスに変化が生じた場合、第１ネットワーク要素は、変化後のトランスポート層アドレスを第２ネットワーク要素に送信する。
【００２７】
以下、図面及び具体的な実施例によって本発明をさらに詳しく説明する。
【００２８】
（実施例１）
本発明の実施例１においてＳＣＴＰ接続の再確立方法が提供され、図３に示されるように、この方法は、以下のステップ３０１〜ステップ３０２を含む。
【００２９】
ステップ３０１：第１ネットワーク要素は、第２ネットワーク要素とＳＣＴＰ接続を確立する。
【００３０】
具体的には、第１ネットワーク要素及び第２ネットワーク要素は、進化型基地局（ｅＮＢ、evolved Node B）であることができる。
【００３１】
ステップ３０２：第１ネットワーク要素のトランスポート層アドレスに変化が生じた場合、第１ネットワーク要素が、変化後のトランスポート層アドレスを第２ネットワーク要素に送信する。
【００３２】
このステップにおいて、第１ネットワーク要素のトランスポート層アドレスに変化が生じると、ＳＣＴＰ接続が切断され、この場合、第１ネットワーク要素は、自ら或いは第２ネットワーク要素の要求に応じて、変化後のトランスポート層アドレスを第２ネットワーク要素に送信し、これにより、第２ネットワーク要素は、変化後のトランスポート層アドレスに基づいて、第１ネットワーク要素とＳＣＴＰ接続を再確立することができる。
【００３３】
具体的には、前記トランスポート層アドレスは、具体的には、インターネットプロトコル（ＩＰ、Internet Protocol）アドレスであることができる。
【００３４】
具体的には、前記第１ネットワーク要素が、変化後のトランスポート層アドレスを第２ネットワーク要素に送信することは、
第１ネットワーク要素が、第１ネットワーク要素の、変化後のトランスポート層アドレスと第２ネットワーク要素の識別情報とを含む第１設定直接転送メッセージを、第３ネットワーク要素を介して第２ネットワーク要素に転送することを含む。このため、第１ネットワーク要素が、前記第１設定直接転送メッセージを第３ネットワーク要素に送信した後、第３ネットワーク要素は、前記第１設定直接転送メッセージにおける第２ネットワーク要素の識別情報に基づいて、前記第１設定直接転送メッセージを前記第２ネットワーク要素に転送することができる。
【００３５】
実際の実現において、前記第３ネットワーク要素は、モビリティ管理エンティティ（ＭＭＥ、Mobility Management Entity）であることができ、このように、第１ネットワーク要素と第２ネットワーク要素との間は、ＳＣＴＰ接続が切断されたことに起因して直接通信ができなくなる場合、第１ネットワーク要素は、コアネットワークを介して第１設定直接転送メッセージを第２ネットワーク要素へ送信し、自体の変化後のトランスポート層アドレスを速やかに第２ネットワーク要素に通知することができる。
【００３６】
第１ネットワーク要素は、変化後のトランスポート層アドレスを第２ネットワーク要素に送信した後、第１ネットワーク要素と第２ネットワーク要素は、変化後のトランスポート層アドレスに基づいてＳＣＴＰ接続を再確立することができる。
【００３７】
さらに、第１ネットワーク要素が、変化後のトランスポート層アドレスを第２ネットワーク要素に送信した後、前記方法は、
第１ネットワーク要素が、第２ネットワーク要素から送信された第２ネットワーク要素自体のトランスポート層アドレスを受信し、第１ネットワーク要素が、受信した第２ネットワーク要素自体のトランスポート層アドレスに基づいてローカルのＳＣＴＰ設定を更新し、更新後のＳＣＴＰ設定に基づいて、第２ネットワーク要素との間でのＳＣＴＰ接続を再確立すること、をさらに含んでもよい。
【００３８】
具体的には、第１ネットワーク要素が、第２ネットワーク要素から送信された第２ネットワーク要素自体のトランスポート層アドレスを受信することは、
第１ネットワーク要素が、第２ネットワーク要素から第３ネットワーク要素を介して転送された、第２ネットワーク要素自体のトランスポート層アドレスを含む第２設定直接転送メッセージを受信することを含み、前記第２ネットワーク要素自体のトランスポート層アドレスは、第１ネットワーク要素と第２ネットワーク要素との間でのＳＣＴＰ接続が切断される前に、前記ＳＣＴＰ接続を確立するための第２ネットワーク要素のトランスポート層アドレスと同じでも異なってもよく、このように、該構成によれば、第１ネットワーク要素及び第２ネットワーク要素は、いずれも相手側の最新のトランスポート層アドレスを取得するよう確保することができ、双方は、最新のトランスポート層アドレスに基づいてＳＣＴＰ接続を再確立することができる。
【００３９】
本発明の実施例において第１コンピュータ読み取り可能な記憶媒体がさらに提供され、この記憶媒体は、実施例１に記載のＳＣＴＰ接続の再確立方法を実行するための１組の命令を含む。
【００４０】
（実施例２）
本発明の実施例２においてＳＣＴＰ接続の再確立方法が提供され、図４に示されるように、この方法は、以下のステップ４０１〜ステップ４０２を含む。
【００４１】
ステップ４０１：第２ネットワーク要素と第１ネットワーク要素との間で確立したＳＣＴＰ接続が切断された後、第２ネットワーク要素は、第１ネットワーク要素から送信された第１ネットワーク要素自体のトランスポート層アドレスを受信する。
【００４２】
具体的には、前記第１ネットワーク要素及び第２ネットワーク要素はｅＮＢであることができ、前記トランスポート層アドレスはＩＰアドレスであることができる。
【００４３】
具体的には、前記第２ネットワーク要素が、第１ネットワーク要素から送信された第１ネットワーク要素自体のトランスポート層アドレスを受信することは、
第２ネットワーク要素が、第１ネットワーク要素から第３ネットワーク要素を介して転送された、第１ネットワーク要素自体のトランスポート層アドレスを含む設定直接転送メッセージを受信することを含み、該トランスポート層アドレスは、第１ネットワーク要素と第２ネットワーク要素との間で確立したＳＣＴＰ接続が切断される前に、前記ＳＣＴＰ接続を確立するための第１ネットワーク要素のトランスポート層アドレスと異なっている。
【００４４】
ステップ４０２：第２ネットワーク要素は、受信したトランスポート層アドレスに基づいてローカルのＳＣＴＰ設定を更新する。
【００４５】
第２ネットワーク要素が、第１ネットワーク要素から送信された第１ネットワーク要素自体のトランスポート層アドレスを受信した後、第２ネットワーク要素は、受信したトランスポート層アドレスに基づいてローカルのＳＣＴＰ設定を更新し、これにより、更新後のＳＣＴＰ設定に基づいて第１ネットワーク要素との間でのＳＣＴＰ接続を再確立する。
【００４６】
本発明の実施例において第２コンピュータ読み取り可能な記憶媒体がさらに提供され、この記憶媒体は、実施例２に記載のＳＣＴＰ接続の再確立方法を実行するための１組の命令を含む。
【００４７】
（実施例３）
本発明の実施例３においてＳＣＴＰ接続の再確立方法が提供され、図５に示されるように、前記方法は、以下のステップ５０１〜ステップ５０３を含む。
【００４８】
ステップ５０１：第２ネットワーク要素は、第１ネットワーク要素とＳＣＴＰ接続を確立する。
【００４９】
具体的には、前記第２ネットワーク要素及び第１ネットワーク要素はｅＮＢであることができる。
【００５０】
ステップ５０２：第２ネットワーク要素は、前記ＳＣＴＰ接続が切断されたと検出した後、第１ネットワーク要素のトランスポート層アドレスを取得する。
【００５１】
具体的には、前記第２ネットワーク要素は、第１ネットワーク要素のトランスポート層アドレスを取得することは、以下のようである。
【００５２】
第２ネットワーク要素は、第１ネットワーク要素の識別情報を含むトランスポート層アドレス取得要求を、第３ネットワーク要素へ送信し、これにより、第３ネットワーク要素は、前記トランスポート層アドレス取得要求を第１ネットワーク要素に転送するとともに、第１ネットワーク要素から返信されたトランスポート層アドレス取得応答を受信し、その後、前記トランスポート層アドレス取得応答を第２ネットワーク要素に転送する。前記トランスポート層アドレス取得応答には、第１ネットワーク要素のトランスポート層アドレスが含まれており、前記第１ネットワーク要素のトランスポート層アドレスは、第１ネットワーク要素の現在のトランスポート層アドレスであり、第１ネットワーク要素と第２ネットワーク要素とで確立したＳＣＴＰ接続が切断される前に、ＳＣＴＰ接続を確立するための第１ネットワーク要素のトランスポート層アドレスと異なっている。
【００５３】
第２ネットワーク要素は、第３ネットワーク要素から返信されたトランスポート層アドレス取得応答を受信する。
【００５４】
具体的には、前記トランスポート層アドレスはＩＰアドレスである。
【００５５】
ステップ５０３：前記第２ネットワーク要素は、取得したトランスポート層アドレスに基づいてローカルのＳＣＴＰ設定を更新する。
【００５６】
具体的には、第２ネットワーク要素は、受信したトランスポート層アドレスに基づいてローカルのＳＣＴＰ設定を更新し、これにより、更新後のＳＣＴＰ設定に基づいて第１ネットワーク要素との間でのＳＣＴＰを再確立する。
【００５７】
本発明の実施例において第３コンピュータ読み取り可能な記憶媒体がさらに提供され、この記憶媒体は、実施例３に記載のＳＣＴＰ接続の再確立方法を実行するための１組の命令を含む。
【００５８】
（実施例４）
本発明の実施例４においてＳＣＴＰ接続の再確立装置が提供され、第１ネットワーク要素に位置し、図６に示されるように、前記装置は、接続確立モジュール６１と、トランスポート層アドレス送信モジュール６２と、を備え、
前記接続確立モジュール６１は、第１ネットワーク要素と第２ネットワーク要素との間でのＳＣＴＰ接続を確立し、
前記トランスポート層アドレス送信モジュール６２は、第１ネットワーク要素のトランスポート層アドレスに変化が生じた場合、変化後のトランスポート層アドレスを第２ネットワーク要素に送信する。
【００５９】
具体的には、前記第１ネットワーク要素及び第２ネットワーク要素はｅＮＢであることができ、前記トランスポート層アドレスはＩＰアドレスである。
【００６０】
さらに、前記装置は、変化後の、第１ネットワーク要素のトランスポート層アドレスを含む第１設定直接転送メッセージを生成する第１設定直接転送メッセージ生成モジュール６３、をさらに備える。
【００６１】
具体的には、前記トランスポート層アドレス送信モジュール６２が、変化後の、第１ネットワーク要素のトランスポート層アドレスを第２ネットワーク要素に送信することは、
トランスポート層アドレス送信モジュール６２が、第１設定直接転送メッセージを第３ネットワーク要素を介して第２ネットワーク要素に送信するように行われる。
【００６２】
具体的には、前記第３ネットワーク要素は、ＭＭＥであることができる。
【００６３】
さらに、前記装置は、トランスポート層アドレス受信モジュール６４と、第１設定更新モジュール６５と、ＳＣＴＰ接続再確立モジュール６６と、をさらに備え、
前記トランスポート層アドレス受信モジュール６４は、第２ネットワーク要素から送信された第２ネットワーク要素自体のトランスポート層アドレスを受信し、
前記第１設定更新モジュール６５は、受信した第２ネットワーク要素自体のトランスポート層アドレスに基づいてローカルのＳＣＴＰ設定を更新し、
前記ＳＣＴＰ接続再確立モジュール６６は、更新後のＳＣＴＰ設定に基づいて、第２ネットワーク要素との間でのＳＣＴＰ接続を再確立する。
【００６４】
前記トランスポート層アドレス受信モジュール６４が、第２ネットワーク要素から送信された第２ネットワーク要素自体のトランスポート層アドレスを受信することは、
トランスポート層アドレス受信モジュール６４が、第２ネットワーク要素から第３ネットワーク要素を介して転送された、第２ネットワーク要素自体のトランスポート層アドレスを含む第２設定直接転送メッセージを受信するように行われる。
【００６５】
（実施例５）
本発明の実施例５においてＳＣＴＰの再確立装置が提供され、第２ネットワーク要素に位置し、図７に示されるように、前記装置は、第２トランスポート層アドレス受信モジュール７１と、第２設定更新モジュール７２と、を備え、
前記第２トランスポート層アドレス受信モジュール７１は、第２ネットワーク要素と第１ネットワーク要素との間でのＳＣＴＰ接続が切断された後、第１ネットワーク要素から送信された第１ネットワーク要素自体のトランスポート層アドレスを受信し、
前記第２設定更新モジュール７２は、受信したトランスポート層アドレスに基づいてローカルのＳＣＴＰ設定を更新する。
【００６６】
前記第１ネットワーク要素及び第２ネットワーク要素は、進化型基地局ｅＮＢであり、前記トランスポート層アドレスは、インターネットプロトコルＩＰアドレスである。
【００６７】
具体的には、前記第２トランスポート層アドレス受信モジュール７１が、第１ネットワーク要素から送信された第１ネットワーク要素自体のトランスポート層アドレスを受信することは、
第２トランスポート層アドレス受信モジュール７１が、第１ネットワーク要素から第３ネットワーク要素を介して転送された、第１ネットワーク要素自体のトランスポート層アドレスを含む設定直接転送メッセージを受信するように行われる。
【００６８】
具体的には、前記第３ネットワーク要素は、モビリティ管理エンティティＭＭＥである。
【００６９】
（実施例６）
本発明の実施例６においてＳＣＴＰの再確立装置が提供され、第２ネットワーク要素に位置し、図８に示されるように、前記装置は、検出モジュール８１と、トランスポート層アドレス取得モジュール８２と、第３設定更新モジュール８３と、を備え、
前記検出モジュール８１は、第２ネットワーク要素と第１ネットワーク要素とがＳＣＴＰ接続を確立した後、前記ＳＣＴＰ接続の接続状態を検出し、前記ＳＣＴＰ接続が切断されたと検出した場合、トランスポート層アドレス取得モジュール８２をトリガーし、
前記トランスポート層アドレス取得モジュール８２は、検出モジュール８１にトリガーされると、第１ネットワーク要素のトランスポート層アドレスを取得し、
前記第３設定更新モジュール８３は、取得したトランスポート層アドレスに基づいてローカルのＳＣＴＰ設定を更新する。
【００７０】
具体的には、前記第２ネットワーク要素及び第１ネットワーク要素は、進化型基地局ｅＮＢであり、前記トランスポート層アドレスは、インターネットプロトコルＩＰアドレスである。
【００７１】
具体的には、前記トランスポート層アドレス取得モジュール８２が、第１ネットワーク要素のトランスポート層アドレスを取得することは、
トランスポート層アドレス取得モジュール８２が、第１ネットワーク要素の識別情報を含むトランスポート層アドレス取得要求を第３ネットワーク要素へ送信し、
第２ネットワーク要素が、第３ネットワーク要素から返信された、第１ネットワーク要素のトランスポート層アドレスを含むトランスポート層アドレス取得応答を受信するように行われる。
【００７２】
具体的には、前記第３ネットワーク要素は、モビリティ管理エンティティＭＭＥである。
【００７３】
以下、２つの具体例を通じて本発明の実施例に提供されるＳＣＴＰ接続の再確立方法を詳しく説明する。
【００７４】
（例１）
図９は、この例１のフローチャートであり、図９に示されるように、該例は、以下のステップ９００〜ステップ９０８を含む。
【００７５】
ステップ９００：ｅＮＢ  ＡとｅＮＢ  ＢとがＳＣＴＰ接続確立に成功する。
【００７６】
ステップ９０１：ｅＮＢ  Ａのトランスポート層アドレスに変化がある。
【００７７】
ステップ９０２：ｅＮＢ  ＡとｅＮＢ  Ｂとの間でのＳＣＴＰ接続が切断される。
【００７８】
ステップ９０３：ｅＮＢ  Ｂは、ＳＣＴＰ接続が切断されたと検出する。
【００７９】
ステップ９０４：ｅＮＢ  Ｂは、ＭＭＥへ第１トランスポート層アドレス取得要求を送信する。
【００８０】
前記第１トランスポート層アドレス取得要求は、ｅＮＢ  Ａの識別情報を含む。
【００８１】
ステップ９０５：ＭＭＥは、前記第１トランスポート層アドレス取得要求をｅＮＢ  Ａに転送する。
【００８２】
ステップ９０６：ｅＮＢ  Ａは、ＭＭＥへトランスポート層アドレス取得応答を送信する。
【００８３】
前記第１トランスポート層アドレス取得応答メッセージには、ｅＮＢ  Ａのトランスポート層アドレスが含まれており、その位置する第１トランスポート層アドレスは、ｅＮＢ  Ａの現在の、変化後のトランスポート層アドレスである。
【００８４】
ステップ９０７：ＭＭＥは、受信した第１トランスポート層アドレス取得応答メッセージをｅＮＢ  Ｂに転送する。
【００８５】
ステップ９０８：ｅＮＢ  Ｂは、受信した第１トランスポート層アドレス取得応答に基づいてローカルのＳＣＴＰ設定を更新する。
【００８６】
さらに、上記方案は、さらに、以下のステップ９０９〜ステップ９１４を含む。
【００８７】
ステップ９０９：ｅＮＢ  Ａは、ＭＭＥへ第２トランスポート層アドレス取得要求を送信する。
【００８８】
前記第２トランスポート層アドレス取得要求は、ｅＮＢ  Ｂの識別情報を含む。
【００８９】
ステップ９１０：ＭＭＥは、前記第２トランスポート層アドレス取得要求をｅＮＢ  Ｂに転送する。
【００９０】
ステップ９１１：ｅＮＢ  Ｂは、ＭＭＥへ第２トランスポート層アドレス取得応答を送信する。
【００９１】
前記第２トランスポート層アドレス取得応答メッセージには、ｅＮＢ  Ｂのトランスポート層アドレスが含まれており、その位置する第２トランスポート層アドレスは、ｅＮＢ  Ｂの現在の、変化後のトランスポート層アドレスである。
【００９２】
ステップ９１２：ＭＭＥは、受信した第２トランスポート層アドレス取得応答メッセージをｅＮＢ  Ａに転送する。
【００９３】
ステップ９１３：ｅＮＢ  Ａは、受信した第２トランスポート層アドレス取得応答に基づいてローカルのＳＣＴＰ設定を更新する。
【００９４】
ステップ９１４：ｅＮＢ  ＡとｅＮＢ  Ｂとの間のＳＣＴＰ接続を再確立する。
【００９５】
（例２）
図１０は、この例２のフローチャートであり、図１０に示されるように、該例は、以下のステップ１０００〜ステップ１００９を含む。
【００９６】
ステップ１０００：ｅＮＢ  ＡとｅＮＢ  ＢとがＳＣＴＰ接続確立に成功する。
【００９７】
ステップ１００１：ｅＮＢ  Ａのトランスポート層アドレスに変化がある。
【００９８】
ステップ１００２：ｅＮＢ  ＡとｅＮＢ  Ｂとの間でのＳＣＴＰ接続が切断される。
【００９９】
ステップ１００３：ｅＮＢ  Ａは、ＭＭＥへ第１設定直接転送メッセージを送信する。
【０１００】
前記第１設定直接転送メッセージには、第１ネットワーク要素の、変化後のトランスポート層アドレスと第２ネットワーク要素の識別情報とが含まれている。
【０１０１】
ステップ１００４：ＭＭＥは、前記第１設定直接転送メッセージをｅＮＢ  Ｂに転送する。
【０１０２】
ステップ１００５：ｅＮＢ  Ｂは、受信した第１設定直接転送メッセージに基づいてローカルのＳＣＴＰ設定を更新する。
【０１０３】
ステップ１００６：ｅＮＢ  Ｂは、ＭＭＥへ第２設定直接転送メッセージを送信する。
【０１０４】
前記第２設定直接転送メッセージは、ｅＮＢ  Ｂのトランスポート層アドレスを含む。
【０１０５】
ステップ１００７：ＭＭＥは、前記第２設定直接転送メッセージをｅＮＢ  Ａに転送する。
【０１０６】
ステップ１００８：ｅＮＢ  Ａは、受信した第２設定直接転送メッセージに基づいてローカルのＳＣＴＰ設定を更新する。
【０１０７】
ステップ１００９：ｅＮＢ  ＡとｅＮＢ  Ｂとの間でのＳＣＴＰ接続を再確立する。
【０１０８】
具体的な実施過程において、上述した接続確立モジュール６１、トランスポート層アドレス送信モジュール６２、第１設定直接転送メッセージ生成モジュール６３、トランスポート層アドレス受信モジュール６４、第１設定更新モジュール６５、ＳＣＴＰ接続再確立モジュール６６は、第１ネットワーク要素内における中央処理装置（ＣＰＵ、Central Processing Unit）、マイクロ処理装置（ＭＰＵ、Micro Processing Unit）、デジタル信号プロセッサ（ＤＳＰ、Digital Signal Processor）又はプログラマブルロジックアレイ（ＦＰＧＡ、Field−Programmable Gate Array）により実現されることができる。上述した第２トランスポート層アドレス受信モジュール７１、第２設定更新モジュール７２、検出モジュール８１、トランスポート層アドレス取得モジュール８２及び第３設定更新モジュール８３は、第２ネットワーク要素内におけるＣＰＵ、ＭＰＵ、ＤＳＰ又はＦＰＧＡにより実現されることができる。
【０１０９】
本発明の実施例は方法、システム又はコンピュータプログラム製品として提供されることができるのは、当業者が理解されるべきである。それゆえ、本発明は、ハードウェア実施例、ソフトウェア実施例、又はソフトウェアとハードウェアを組み合わせた実施例の形を用いることができる。そして、本発明は、コンピュータ使用可能なプログラムコードが含まれる１つ又は複数のコンピュータ使用可能な記憶媒体（磁気ディスクメモリ及び光学メモリ等を含むが、これには限定されない）において実施されるコンピュータプログラム製品の形を用いることができる。
【０１１０】
本発明は、本発明の実施例による方法、デバイス（システム）、及びコンピュータプログラム製品のフローチャート及び／又はブロック図を参照して説明したものである。コンピュータプログラム命令により、フローチャート及び／又はブロック図におけるそれぞれのフロー及び／又はブロック、及びフローチャート及び／又はブロック図におけるフロー及び／又はブロックの組み合わせを実現することができるのは、理解されるべきである。これらのコンピュータプログラム命令を汎用コンピュータ、専用コンピュータ、嵌め込み式プロセッサ又は他のプログラマブルデータ処理デバイスのプロセッサに提供して機器を製造することができ、このようにして、コンピュータ又は他のプログラマブルデータ処理デバイスのプロセッサによって実行される命令から、フローチャートの１つ又は複数のフロー及び／又はブロック図の１つ又は複数のブロックにおける指定した機能を実現するための装置を製造する。
【０１１１】
これらのコンピュータプログラム命令は、コンピュータ又は他のプログラマブルデータ処理デバイスが特定した方式で動作するようガイドすることができるコンピュータ読み取り可能なメモリに記憶されてもよく、このようにして、該コンピュータ読み取り可能なメモリに記憶される命令から、命令装置を含む製造品を製造し、該命令装置は、フローチャートの１つ又は複数のフロー及び／又はブロック図の１つ／又は複数のブロックにおける指定した機能を実現する。
【０１１２】
これらのコンピュータプログラム命令は、コンピュータ又は他のプログラマブルデータ処理デバイスに搭載されてもよく、このようにして、コンピュータ又は他のプログラマブルデータ処理デバイスに一連の操作ステップを実行して、コンピュータで実現する処理を発生させ、これにより、コンピュータ又は他のプログラマブルデータ処理デバイスで実行する命令は、フローチャートの１つ又は複数のフロー及び／又はブロック図の１つ又は複数のブロックにおける指定した機能を実現するためのステップを提供する。
【０１１３】
以上は本発明の好適な実施例に過ぎず、本発明の保護範囲を限定することは意図していない。
【産業上の利用可能性】
【０１１４】
本発明の実施例では、第１ネットワーク要素と第２ネットワーク要素とがＳＣＴＰ接続を確立した後、第１ネットワーク要素のトランスポート層アドレスに変化が生じた場合、第１ネットワーク要素は、変化後のトランスポート層アドレスを第２ネットワーク要素に送信する。このように、第１ネットワーク要素と第２ネットワーク要素との間でのＳＣＴＰ接続は、第１ネットワーク要素のトランスポート層アドレスが変化することに起因して切断される場合、変化後のトランスポート層アドレスを第２ネットワーク要素に送信することにより、第１ネットワーク要素と第２ネットワーク要素との間でのＳＣＴＰ接続を速やかに再確立することができる。
【図１】
2018508161.tif 000003
【図２】
2018508161.tif 000004
【図３】
2018508161.tif 000005
【図４】
2018508161.tif 000006
【図５】
2018508161.tif 000007
【図６】
2018508161.tif 000008
【図７】
2018508161.tif 000009
【図８】
2018508161.tif 000010
【図９】
2018508161.tif 000011
【図１０】
2018508161.tif 000012
【手続補正書】
【提出日】平成29年9月13日(2017.9.13)
【手続補正１】
【補正対象書類名】明細書
【補正対象項目名】００１７
【補正方法】変更
【補正の内容】
【００１７】
本発明の実施例において、
第２ネットワーク要素が第１ネットワーク要素とＳＣＴＰ接続を確立した後、第２ネットワーク要素は、前記ＳＣＴＰ接続が切断されたと検出すると、第１ネットワーク要素のトランスポート層アドレスを取得することと、
前記第２ネットワーク要素は、取得したトランスポート層アドレスに基づいてローカルのＳＣＴＰ設定を更新することと、を含むストリーム制御伝送プロトコルＳＣＴＰ接続の再確立方法が提供される。
【手続補正２】
【補正対象書類名】明細書
【補正対象項目名】００２３
【補正方法】変更
【補正の内容】
【００２３】
本発明の実施例において、第２ネットワーク要素に位置するストリーム制御伝送プロトコルＳＣＴＰ接続の再確立装置であって、
第２ネットワーク要素と第１ネットワーク要素とがＳＣＴＰ接続を確立した後、前記ＳＣＴＰ接続の接続状態を検出し、前記ＳＣＴＰ接続が切断されたと検出した場合、トランスポート層アドレス取得モジュールをトリガーする検出モジュールと、
検出モジュールにトリガーされると、第１ネットワーク要素のトランスポート層アドレスを取得するトランスポート層アドレス取得モジュールと、
取得したトランスポート層アドレスに基づいてローカルのＳＣＴＰ設定を更新する第３設定更新モジュールと、を備える装置が提供される。
【手続補正３】
【補正対象書類名】明細書
【補正対象項目名】００５６
【補正方法】変更
【補正の内容】
【００５６】
具体的には、第２ネットワーク要素は、受信したトランスポート層アドレスに基づいてローカルのＳＣＴＰ設定を更新し、これにより、更新後のＳＣＴＰ設定に基づいて第１ネットワーク要素との間でのＳＣＴＰ接続を再確立する。
【手続補正４】
【補正対象書類名】明細書
【補正対象項目名】００６５
【補正方法】変更
【補正の内容】
【００６５】
（実施例５）
本発明の実施例５においてＳＣＴＰ接続の再確立装置が提供され、第２ネットワーク要素に位置し、図７に示されるように、前記装置は、第２トランスポート層アドレス受信モジュール７１と、第２設定更新モジュール７２と、を備え、
前記第２トランスポート層アドレス受信モジュール７１は、第２ネットワーク要素と第１ネットワーク要素との間でのＳＣＴＰ接続が切断された後、第１ネットワーク要素から送信された第１ネットワーク要素自体のトランスポート層アドレスを受信し、
前記第２設定更新モジュール７２は、受信したトランスポート層アドレスに基づいてローカルのＳＣＴＰ設定を更新する。
【手続補正５】
【補正対象書類名】特許請求の範囲
【補正対象項目名】全文
【補正方法】変更
【補正の内容】
【特許請求の範囲】
【請求項１】
第１ネットワーク要素と第２ネットワーク要素とがＳＣＴＰ接続を確立した後、第１ネットワーク要素のトランスポート層アドレスに変化が生じた場合、第１ネットワーク要素は、変化後のトランスポート層アドレスを第２ネットワーク要素に送信すること、
を含むストリーム制御伝送プロトコルＳＣＴＰ接続の再確立方法。
【請求項２】
前記第１ネットワーク要素及び第２ネットワーク要素は、進化型基地局ｅＮＢであり、前記トランスポート層アドレスは、インターネットプロトコルＩＰアドレスである
請求項１に記載の方法。
【請求項３】
前記第１ネットワーク要素が、変化後のトランスポート層アドレスを第２ネットワーク要素に送信することは、
第１ネットワーク要素が、第１ネットワーク要素の、変化後のトランスポート層アドレスと第２ネットワーク要素の識別情報とを含む第１設定直接転送メッセージを、第３ネットワーク要素を介して第２ネットワーク要素に転送することを含む
請求項２に記載の方法。
【請求項４】
前記第３ネットワーク要素は、モビリティ管理エンティティＭＭＥである
請求項３に記載の方法。
【請求項５】
前記第１ネットワーク要素が、変化後のトランスポート層アドレスを第２ネットワーク要素に送信した後、
第１ネットワーク要素が、第２ネットワーク要素から送信された第２ネットワーク要素自体のトランスポート層アドレスを受信し、第１ネットワーク要素が、受信した第２ネットワーク要素自体のトランスポート層アドレスに基づいてローカルのＳＣＴＰ設定を更新し、更新後のＳＣＴＰ設定に基づいて、第２ネットワーク要素との間でのＳＣＴＰ接続を再確立すること、をさらに含んでもよい
請求項１乃至４のうち何れか一項に記載の方法。
【請求項６】
前記第１ネットワーク要素が、第２ネットワーク要素から送信された第２ネットワーク要素自体のトランスポート層アドレスを受信することは、
第１ネットワーク要素が、第２ネットワーク要素から第３ネットワーク要素を介して転送された、第２ネットワーク要素自体のトランスポート層アドレスを含む第２設定直接転送メッセージを受信することを含む
請求項５に記載の方法。
【請求項７】
第２ネットワーク要素と第１ネットワーク要素との間で確立したＳＣＴＰ接続が切断された後、第２ネットワーク要素は、第１ネットワーク要素から送信された第１ネットワーク要素自体のトランスポート層アドレスを受信することと、
第２ネットワーク要素は、受信したトランスポート層アドレスに基づいてローカルのＳＣＴＰ設定を更新することと、
を含むストリーム制御伝送プロトコルＳＣＴＰ接続の再確立方法。
【請求項８】
前記第１ネットワーク要素及び第２ネットワーク要素は、進化型基地局ｅＮＢであり、前記トランスポート層アドレスは、インターネットプロトコルＩＰアドレスである
請求項７に記載の方法。
【請求項９】
前記第２ネットワーク要素が、第１ネットワーク要素から送信された第１ネットワーク要素自体のトランスポート層アドレスを受信することは、
第２ネットワーク要素が、第１ネットワーク要素から第３ネットワーク要素を介して転送された、第１ネットワーク要素自体のトランスポート層アドレスを含む設定直接転送メッセージを受信することを含む
請求項８に記載の方法。
【請求項１０】
前記第３ネットワーク要素は、モビリティ管理エンティティＭＭＥである
請求項９に記載の方法。
【請求項１１】
第２ネットワーク要素が第１ネットワーク要素とＳＣＴＰ接続を確立した後、第２ネットワーク要素は、前記ＳＣＴＰ接続が切断されたと検出すると、第１ネットワーク要素のトランスポート層アドレスを取得することと、
前記第２ネットワーク要素は、取得したトランスポート層アドレスに基づいてローカルのＳＣＴＰ設定を更新することと、
を含むストリーム制御伝送プロトコルＳＣＴＰ接続の再確立方法。
【請求項１２】
前記第２ネットワーク要素及び第１ネットワーク要素は、進化型基地局ｅＮＢであり、前記トランスポート層アドレスは、インターネットプロトコルＩＰアドレスである
請求項１１に記載の方法。
【請求項１３】
前記第２ネットワーク要素が、第１ネットワーク要素のトランスポート層アドレスを取得することは、
第２ネットワーク要素が、第１ネットワーク要素の識別情報を含むトランスポート層アドレス取得要求を第３ネットワーク要素へ送信し、
第２ネットワーク要素が、第３ネットワーク要素から返信された、第１ネットワーク要素のトランスポート層アドレスを含むトランスポート層アドレス取得応答を受信することである
請求項１２に記載の方法。
【請求項１４】
前記第３ネットワーク要素は、モビリティ管理エンティティＭＭＥである
請求項１３に記載の方法。
【請求項１５】
第１ネットワーク要素に位置するストリーム制御伝送プロトコルＳＣＴＰ接続の再確立装置であって、
第１ネットワーク要素と第２ネットワーク要素との間でのＳＣＴＰ接続を確立する接続確立モジュールと、
第１ネットワーク要素のトランスポート層アドレスに変化が生じた場合、変化後のトランスポート層アドレスを第２ネットワーク要素に送信するトランスポート層アドレス送信モジュールと、を備える装置。
【請求項１６】
第２ネットワーク要素に位置するストリーム制御伝送プロトコルＳＣＴＰ接続の再確立装置であって、
第２ネットワーク要素と第１ネットワーク要素との間でのＳＣＴＰ接続が切断された後、第１ネットワーク要素から送信された第１ネットワーク要素自体のトランスポート層アドレスを受信する第２トランスポート層アドレス受信モジュールと、
受信したトランスポート層アドレスに基づいてローカルのＳＣＴＰ設定を更新する第２設定更新モジュールと、を備える装置。
【請求項１７】
第２ネットワーク要素に位置するストリーム制御伝送プロトコルＳＣＴＰ接続の再確立装置であって、
第２ネットワーク要素と第１ネットワーク要素とがＳＣＴＰ接続を確立した後、前記ＳＣＴＰ接続の接続状態を検出し、前記ＳＣＴＰ接続が切断されたと検出した場合、トランスポート層アドレス取得モジュールをトリガーする検出モジュールと、
検出モジュールにトリガーされると、第１ネットワーク要素のトランスポート層アドレスを取得する前記トランスポート層アドレス取得モジュールと、
取得したトランスポート層アドレスに基づいてローカルのＳＣＴＰ設定を更新する第３設定更新モジュールと、を備える装置。
【請求項１８】
請求項１乃至６のうち何れか一項に記載のストリーム制御伝送プロトコルＳＣＴＰ接続の再確立方法を実行するための１組の命令を含む、第１コンピュータ読み取り可能な記憶媒体。
【請求項１９】
請求項７乃至１０のうち何れか一項に記載のストリーム制御伝送プロトコルＳＣＴＰ接続の再確立方法を実行するための１組の命令を含む、第２コンピュータ読み取り可能な記憶媒体。
【請求項２０】
請求項１１乃至１４のうち何れか一項に記載のストリーム制御伝送プロトコルＳＣＴＰ接続の再確立方法を実行するための１組の命令を含む、第３コンピュータ読み取り可能な記憶媒体。
【国際調査報告】
2018508161.tif 000013
2018508161.tif 000014
2018508161.tif 000015
2018508161.tif 000016